(57)【特許請求の範囲】
【請求項１】
ｐＨを６．０〜６．８に調整した物質をトラフグの飼育環境下に存在させることにより海水を遊泳している状態のヘテロボツリウムの孵化仔虫を該物質に吸着させ、飼育環境に存在するヘテロボツリウムを減少させることを特徴とする、トラフグの寄生虫の防疫法。
【請求項２】
ｐＨを６．０〜６．８に調整した物質が、該ｐＨを有するフィルム、寒天様物質、もしくはイケス網に該ｐＨを持たせたものである、請求項１記載のトラフグの寄生虫の防疫法。
【発明の詳細な説明】
【０００１】
【産業の属する技術分野】
本発明は、トラフグの寄生虫「ヘテロボツリウム」のｐＨを利用した防疫法に関する。
【０００２】
【従来の技術】
養殖において、寄生虫症は安定生産の妨げとなるため、非常に大きな問題となっている。トラフグ養殖においては、寄生虫症の中でも、ヘテロボツリウム感染症は日本のどの漁場でも発生するため、最も問題とされている。
本虫の生活史は、卵から孵化した仔虫がまず鰓に寄生し、そこで幼虫となり、５〜６ｍｍ程度に成長すると鰓を囲む組織に移動して、把握器側を組織内に埋め親虫となり産卵する。養殖現場での本虫に対する対策は、魚を定期的に８００ｐｐｍ前後のホルマリンで１時間程度薬浴することぐらいしかない。しかし、この処理では幼虫を８０％程度しか駆除できず、さらに親虫に至っては駆除することができない。また、ホルマリンは発ガン性の物質であり、環境汚染等の点から問題が生じてくる。
【０００３】
このことから、本虫や他の寄生虫に対し経口で効果があるような、天然物質の開発は必須であり、その要望から本発明者らは後述の天然物質を発見した。
すなわち、本発明者らは、人間の肝吸虫に対する寄生虫薬であるプラジカンテルが、トラフグの寄生虫であるヘテロボツリウムに有効であることを最近、明らかとして特許出願した（特願平９−２３０３１６号）。また、天然物質に関しては、ラクトフェリンをヘテロボツリウムに対して効果を有する天然生理活性物質として含有する魚類用飼料を発明し特許出願した（特許平９−２３０３１７号）。さらに炭素数６ないし１２の脂肪酸を魚類寄生虫に対して効果を有する天然生理活性物質として含有する魚類用飼料を発明し特許出願した（特願平１０−２３９２０２）。
【０００４】
【発明が解決しようとする課題】
本発明者らの前述の天然物質に関する発明は魚自体を寄生虫に対し感染しにくくする発想に基づくものである。本発明者らのまた、寄生虫そのものを飼育環境から減少させることも有効な防疫法の一つと考えた。
そこで本発明は、環境を汚染することなく、トラフグの寄生虫そのものを飼育環境から減少させるトラフグの寄生虫の防疫法の提供を目的としている。
【０００５】
【課題を解決するための手段】
本発明者らは、防疫法を開発するために、ヘテロボツリウムの孵化仔虫の魚への感染に対する進めて行き、仔虫の定着・感染にはｐＨが関与していることを新たに発見し、本発明における研究を完了した。
本発明は、ヘテロボツリウムが着定する性質を利用して飼育環境に存在するヘテロボツリウムを減少させるトラフグの寄生虫の防疫法である。
海水を遊泳している状態のヘテロボツリウムの孵化仔虫を着定の対象としており、したがって本発明は、海水を遊泳している状態のヘテロボツリウムの孵化仔虫が着定する性質を利用して飼育環境に存在するヘテロボツリウムを減少させるトラフグの寄生虫の防疫法である。
上記の性質は、ｐＨ６．０〜６．８の物質に着定する性質であり、したがって本発明は、ヘテロボツリウム、より具体的には海水を遊泳している状態のヘテロボツリウムの孵化仔虫がｐＨ６．０〜６．８の物質着定する性質を利用して飼育環境に存在するヘテロボツリウムを減少させるトラフグの寄生虫の防疫法である。
【０００６】
【発明の実施の形態】
《ヘテロボツリウム》
トラフグの寄生虫であるヘテロボツリウム〔単生類ディクリドフォラ科のHeterobothrium okamotoi（トラフグえらむし）〕は、トラフグのみに寄生して、エラとその周辺より吸血を行うため、トラフグは貧血状態になり成長不良を起こす。本虫の生活史は、卵から孵化後４〜５カ月で一生を終えると考えられている。卵から孵化した仔虫がまず鰓に寄生し、そこで幼虫となり、５〜６ｍｍ程度に成長すると鰓を囲む組織に移動して、把握器側を組織内に埋め親虫となり産卵する。  鰓弁上の幼虫、鰓腔壁の成虫ともに、薬剤や浸透圧の変化にきわめて抵抗性が強く、現在までのところ、有効な駆虫法は開発されていない。
【０００７】
《ｐＨ６．０〜６．８の物質》
ヘテロボツリウムの孵化仔虫はｐＨ６．０〜６．８の寒天等に定着する性質を利用し、このｐＨを有したフィルム、寒天様物質を飼育環境に入れる、もしくはイケス網等にこのｐＨを持たせることにより、海水中の孵化仔虫をその物体に吸着させ減少させる防疫法である。
本発明の防疫法は、ヘテロボツリウムの仔虫の性質を利用したもので、その減少に有効であり、環境への悪影響もない。以下に示す実施例で確認することができる。
【０００８】
【実施例】
本願発明の詳細を実施例で説明する。本願発明はこれら実施例によって何ら限定されるものではない。
【０００９】
実施例
＜目的＞ヘテロボツリウム孵化仔虫を含む海水に、ｐＨ６．４の寒天を入れたところ、着定する現象が観察された。そこで試験１では、ｐＨ６．０〜７．４の寒天への孵化仔虫の着定性を調べた。試験２では、孵化仔虫を含む海水に、トラフグとｐＨ６．４の寒天を入れ、トラフグと、寒天への着定数を調べた。
【００１０】
試験１
＜方法＞
孵化仔虫１０００個体を含む海水に、ｐＨ６．０、６．４、６．６、６．８、７．０、７．２、７．４の１４×７×７ｍｍの寒天入れた。開始１、２、５時間後にそれぞれの寒天への孵化仔虫の着定数を調べた。各寒天の濃度は、１％であり、そのｐＨは１００ｍＭのリン酸緩衝液で調整した。また、試験は３回行った。  各ｐＨの寒天に対する孵化仔虫の定着性を図１に示す。
＜結果と考察＞
図１から明らかなように、孵化仔虫はｐＨ６．４の寒天に最も多く着定した。孵化仔虫はｐＨ６．４を認識していると考えられた。
【００１１】
試験２
＜方法＞
孵化仔虫１０００個体を含む海水に、ｐＨ６．４の１４０×７０×７０ｍｍの寒天３個と３０ｇのトラフグ３尾を入れた。開始１時間後に寒天への着定数と、トラフグへの感染数を調べた。
＜結果と考察＞
寒天への着定数は、１０、１８、１１個体であり、魚への寄生数は、２３、２５、３２個体であった。孵化仔虫は、魚が存在するにもかかわらず、寒天への着定が認められた。寒天に着定した孵化仔虫は、寒天にそのまま留まるか、繊毛が取れ遊泳能力を失いそのまま底に沈んだ。どちらのケースにおいても虫は３日以内に死亡した。孵化仔虫は、成長・成熟するために、宿主に感染し、吸血、変態することが必要である。本ケースの虫の死亡原因は、虫がｐＨ６．４に反応してしまい、寒天に完全に着定してしままいそのまま餓死してしまった、もしくはｐＨ６．４の刺激に反応し、着定後、虫が感染が成立したものと間違え次ぎの虫のステージに移行してしまい、すなわち感染に必要な繊毛を取ってしまい、遊泳力を失いそのまま寒天から離れ底に落ちて餓死したことが考えられる。ｐＨ６．４の寒天を飼育環境中に入れることで、遊泳する孵化仔虫の数を減少させることが可能であり、感染を軽減できることが考えられた。本ケースでは、寒天を使用したが、環境中にｐＨ６．４を有したいかなる物体においても、この現象は利用可能と考えられる。
【００１２】
【発明の効果】
ｐＨ６．０〜６．８の物体に反応し、着定することを利用した環境を汚染することのないヘテロボツリウムの防疫方法を提供できる。
【図面の簡単な説明】
【図１】各ｐＨの寒天に対する孵化仔虫の定着性を示す図面である。
【図１】
0004023761.tif 000002